(57)【特許請求の範囲】
【請求項１】
少なくとも本体の前面に前面吸込口を、上面に上面吸込口を夫々設け、前面下部に吹出口を設け、前記前面吸込口及び前記上面吸込口と前記吹出口とを結ぶ空気通路に熱交換器と送風ファンとを設け、前記上面吸込口に複数の上面吸込ルーバを設け、同上面吸込ルーバの後端に備えられた軸を前記本体に軸支し、前記上面吸込ルーバの下面にアームを突設する一方、前記本体内に、複数の係合片を備え前記上面吸込口に沿い前後に慴動するスライドレバーを設けて、前記係合片により前記上面吸込ルーバの前記アームを前方に押圧することにより前記上面吸込ルーバを前記軸を中心に上方に回動させて前記上面吸込口を開放し、前記スライドレバーが後方に慴動することにより、前記上面吸込ルーバが自重により回動して前記上面吸込口を遮蔽してなる空気調和機において、
前記スライドレバーの上面に、階段状に第一段差部と第二段差部とを備えた段差状係合片を複数突設し、前記第一段差部に前記アームが乗り上げることにより、複数の前記上面吸込ルーバが半開状態となり、前記第二段差部に前記アームが乗り上げることにより複数の前記上面吸込ルーバが全開状態となることを特徴とする空気調和機。
【請求項２】
前記スライドレバーの上面に、角錐状の係合片と、前記段差状係合片とを設け、前記スライドレバーが前方に慴動することにより同段差状係合片に対応した前記上面吸込ルーバが、前記第一段差部により半開状態となり、引き続いて、前記角錐状の係合片と、前記第二段差部により複数の前記上面吸込ルーバが夫々全開状態となることを特徴とする請求項１に記載の空気調和機。
【請求項３】
前記スライドレバーの上面と前記第一段差部とを結ぶ角部と、前記第一段差部と前記第二段差部とを結ぶ角部とを、曲面状に形成して、前記上面吸込ルーバが滑らかな動作で開くようにしてなることを特徴とする請求項１に記載の空気調和機。
【請求項４】
前記段差状係合片が、前記スライドレバーの長手方向において、夫々異なるピッチで配設されることにより、前記上面吸込ルーバが夫々異なるタイミングで回動してなることを特徴とする請求項１に記載の空気調和機。
【請求項５】
前記第一段差部と前記第二段差部とを別体に設けるとともに、前記第一段差部にネジ挿通孔を設け前記スライドレバーにネジ孔を設けて、前記第一段差部を前記スライドレバーに螺着し、同スライドレバーに対し着脱自在にしたことを特徴とする請求項１に記載の空気調和機。
【発明の詳細な説明】
【０００１】
【発明の属する技術分野】
本発明は、空気調和機に係わり、より詳細には、前面と上面との吸込口に、同吸込口の開閉を行う複数の吸込ルーバを設け、上面の吸込口に設けられた複数の吸込ルーバが、ほぼ同一の角度で半開状態を維持できるようにするとともに、特定の吸込ルーバが異なるタイミングで開閉するようにした構成に関する。
【０００２】
【従来の技術】
従来の、上面吸込口に同吸込口の開閉を行う複数の吸込ルーバを設けた空気調和機は、例えば図６の要部断面図に示すように上面吸込口を構成している。図６で示すように空気調和機３７は、前面パネル３８の上面に上面吸込口３９を設け、同上面吸込口３９に上面吸込ルーバ４０、４１及び４２を配設している。同上面吸込ルーバ４０、４１及び４２は夫々後端に備えた軸４０ａ、４１ａ及び４２ａが前記前面パネル３８に回動自在に軸支されており、下方に突設したアーム４０ｂ、４１ｂ及び４２ｂが、前記前面パネル３８内に前後慴動自在に支持されたスライドレバー４３に駆動されることにより前記軸４０ａ、４１ａ及び４２ａを軸芯として回動し、前記吸込口３９の開閉を行っている。
【０００３】
前記スライドレバー４３は、上面に前記アーム４０ｂ、４１ｂ及び４２ｂが係合する係合孔４３ａ、４３ｃ及び４３ｅを設けるとともに、同係合孔４３ａ、４３ｃ及び４３ｅの後端に、係合片４３ｂ、４３ｄ及び４３ｆを設け、同係合片４３ｂ、４３ｄ及び４３ｆにより前記アーム４０ｂ、４１ｂ及び４２ｂを押圧して前記上面吸込ルーバ４０、４１及び４２を上方に回動させ前記上面吸込口３９を開放する。前記スライドレバー４３が後方に慴動した際は、前記上面吸込ルーバ４０、４１及び４２は夫々自重により下方に回動して前記上面吸込口３９を閉じるようになっている。また前記上面吸込ルーバ４０、４１及び４２を半開の状態で保持したい場合は、前記スライドレバー４３が慴動範囲の中間地点で停止するようになっている。
【０００４】
しかしながら、前記上面吸込ルーバ４０、４１及び４２を半開の状態で保持する場合、ステッピングモータで駆動される前記スライドレバー４３は常に正確な中間地点で停止するとは限らず半開状態での開き角度がその都度相違したり、また前記上面吸込ルーバ４０、４１及び４２及び前記アーム４０ｂ、４１ｂ及び４２ｂの部品精度あるいは組立の精度等より夫々の上面吸込ルーバの開き角度に相違が生じることがあり、改善が望まれていた。
【０００５】
【発明が解決しようとする課題】
本発明は上記問題点に鑑み、上面吸込口に設けられた上面吸込ルーバが、半開の状態で開きその状態を維持する際、開き角度が常に同一となるようにするとともに、夫々の上面吸込ルーバの開き角度もほぼ同一となるようにし、また特定の上面吸込ルーバの開閉タイミングが他の上面吸込ルーバと異なるようにして、上面吸込口の機能とともにインテリアデザイン性が向上した空気調和機を提供することを目的とする。
【０００６】
【課題を解決するための手段】
本発明は上記課題を解決するため、少なくとも本体の前面に前面吸込口を、上面に上面吸込口を夫々設け、前面下部に吹出口を設け、前記前面吸込口及び前記上面吸込口と前記吹出口とを結ぶ空気通路に熱交換器と送風ファンとを設け、前記上面吸込口に複数の上面吸込ルーバを設け、同上面吸込ルーバの後端に備えられた軸を前記本体に軸支し、前記上面吸込ルーバの下面にアームを突設する一方、前記本体内に、複数の係合片を備え前記上面吸込口に沿い前後に慴動するスライドレバーを設けて、前記係合片により前記上面吸込ルーバの前記アームを前方に押圧することにより前記上面吸込ルーバを前記軸を中心に上方に回動させて前記上面吸込口を開放し、前記スライドレバーが後方に慴動することにより、前記上面吸込ルーバが自重により回動して前記上面吸込口を遮蔽してなる空気調和機において、
前記スライドレバーの上面に、階段状に第一段差部と第二段差部とを備えた段差状係合片を複数突設し、前記第一段差部に前記アームが乗り上げることにより、複数の前記上面吸込ルーバが半開状態となり、前記第二段差部に前記アームが乗り上げることにより複数の前記上面吸込ルーバが全開状態となる構成となっている。
【０００７】
また、前記スライドレバーの上面に、角錐状の係合片と、前記段差状係合片とを設け、前記スライドレバーが前方に慴動することにより同段差状係合片に対応した前記上面吸込ルーバが、前記第一段差部により半開状態となり、引き続いて、前記角錐状の係合片と、前記第二段差部により複数の前記上面吸込ルーバが夫々全開状態となる構成となっている。
【０００８】
また、前記スライドレバーの上面と前記第一段差部とを結ぶ角部と、前記第一段差部と前記第二段差部とを結ぶ角部とを、曲面状に形成して、前記上面吸込ルーバが滑らかな動作で開くようにした構成となっている。
【０００９】
また、前記段差状係合片が、前記スライドレバーの長手方向において、夫々異なるピッチで配設されることにより、前記上面吸込ルーバが夫々異なるタイミングで回動する構成となっている。
【００１０】
更に、前記第一段差部と前記第二段差部とを別体に設けるとともに、前記第一段差部にネジ挿通孔を設け前記スライドレバーにネジ孔を設けて、前記第一段差部を前記スライドレバーに螺着し、同スライドレバーに対し着脱自在にした構成となっている。
【００１１】
【発明の実施の形態】
以下、本発明の実施の形態を、添付図面に基づいた実施例として詳細に説明する。
図１は本発明による空気調和機を示す断面図であり、図２は同空気調和機の前面吸込口と上面吸込口とに備えられた夫々の吸込ルーバが開放された状態を示す断面図である。また図３から図５は上面吸込口を示す要部断面図である。
本発明による空気調和機１は、図１で示すように、ベース２と前面パネル３とで、外郭前面が曲面状に形成された本体を構成し、同本体の前面略中央に前面吸込口４を設け、上面に上面吸込口５を設け、またこれらの間に前面上部吸込口６を設けている。前記前面吸込口４には、外郭前面に合わせて曲面状に形成され、軸支された下端軸を軸芯として回動し前記前面吸込口４の開閉を行う複数の前面吸込ルーバ１３、１４及び１５が上下に配設されており、前記上面吸込口５には複数の上面吸込ルーバ１６、１７及び１８が設けられている。また前記本体の前面下部には複数の風向変更板９ａを備えた吹出口９が設けられている。
【００１２】
前記前面吹出口４、前記上面吸込口５及び前記前面上部吸込口６と前記吹出口９とを結ぶ空気通路には、平行に並べられたフィンと、同フィンに直交して両端をＵ字管により連結した伝熱管とからなり、垂直部７ａと、同垂直部７ａの上端を折曲して後方に傾斜させた後方傾斜部７ｂと、同後方傾斜部の上端を折曲して下方に傾斜させた下方傾斜部７ｃとから構成され、前記前面吸込口４と前記上面吸込口５と前記前面上部吸込口６とから吸込まれた吸込空気を熱交換する熱交換器７と、熱交換された空気を前記吹出口９から室内に送出する送風ファン８とが備えられている。
【００１３】
また、前記前面上部吸込口６に対向するように前記熱交換器７の後方傾斜部７ｂの前面には空気清浄器１２が設けられており、前記前面吸込口４と前記上面吸込口５とが前記前面吸込ルーバ１３、１４及び１５と前記上面吸込ルーバ１６、１７及び１８とにより隠蔽されている時は、前記前面上部吸込口６より吸込まれた吸込空気は、前記空気清浄器１２により塵埃が除去され清浄化されて前記熱交換器７に送出されるようになっている。
【００１４】
次に、本発明による空気調和機の第一の実施例について説明をする。前記上面吸込口５には、上記したように図３（Ａ）で示す複数の上面吸込ルーバ１６、１７及び１８が設けられており、同上面吸込ルーバ１６、１７及び１８は夫々後端に設けた軸１６ａ、１７ａ及び１８ａが前記前面パネル３に回動自在に軸支されており、また、その下面にはアーム１６ｂ、１７ｂ及び１８ｂが下方に向けて突設されている。また前記本体内には、同本体に支持されるスライドレバー２０が前記上面吸込口５に沿い前後慴動自在に設けられており、また同スライドレバー２０の上面には複数の段差状係合片２１、２２及び２３が設けられている。同段差状係合片２１、２２及び２３は階段状に形成され、一例として図３（Ｂ）で示す要部拡大図のように、前記係合片２１は、第一段部２１ａと第二段部２１ｂとにより形成されている。
【００１５】
次に、本発明による空気調和機１の動作について説明をする。前記上面吸込口５において、前記スライドレバー２０が前方に慴動すると、図４で示すように、まず前記段差状係合片２１、２２及び２３の前記第一段部２１ａ、２２ａ及び２３ａに前記上面吸込ルーバ１６、１７及び１８の前記アーム１６ｂ、１７ｂ及び１８ｂの先端部が乗り上げ、これにより前記上面吸込ルーバ１６、１７及び１８は上方に回動して半開状態となる。この状態で前記スライドレバー２０が停止すれば前記上面吸込ルーバ１６、１７及び１８が半開の状態のまま前記吸込口５から室内の空気が吸込まれる。次に、前記スライドレバー２０が更に前方に慴動し、前記段差状係合片２１、２２及び２３の前記第二段部２１ｂ、２２ｂ及び２３ｂに前記アーム１６ｂ、１７ｂ及び１８ｂの先端部が乗り上げると、前記上面吸込ルーバ１６、１７及び１８は更に回動して全開状態となる。
【００１６】
前記上面吸込ルーバ１６、１７及び１８の半開状態が、前記段差状係合片２１、２２及び２３の前記第一段部２１ａ、２２ａ及び２３ａで行われることより、常にほぼ同一の角度で、前記上面吸込ルーバ１６、１７及び１８が開くことができるとともに、夫々の開く角度もほぼ同一とすることができるようになる。
【００１７】
次に、本発明による空気調和機の第二の実施例について説明をする。図５（Ａ）で示すように、スライドレバー２０ａの上面に角錐状の係合片２４及び２５を設ける一方、その後方に前記段差状係合片２３を設け、前記スライドレバー２０ａが前方に慴動すると、まず前記段差状係合片２３の第一段差部２３ａに前記上面吸込ルーバ１８の前記アーム１８ｂが乗り上げることにより前記上面吸込ルーバ１８ａのみが半開状態となる。更に前記スライドレバー２０ａが前方に慴動すると前記係合片２４及び２５により前記上面吸込ルーバ１６、１７が全開するとともに、前記段差状係合片２３の第二段差部２３ｂに前記前記上面吸込ルーバ１８の前記アーム１８ｂが乗り上げることにより、前記上面吸込ルーバ１８も全開状態となる。このようにして夫々の上面吸込ルーバの開閉タイミングをずらすことにより、吸込空気量を微妙に調整するようになっている。
【００１８】
次に、本発明による空気調和機の第三の実施例について説明をする。図５（Ｂ）で示すように、前記スライドレバー２０ａの後端に、角部を曲面状に形成するとともに、第一段差部２６ａと第二段差部２６ｂとを備えた段差状係合片２６を設け。同段差状係合片２６の前記曲面状の角部により、前記上面吸込ルーバ１８が滑らかな動作で開くようにして、インテリアデザイン性を向上させた構成となっている。また前記段差状係合片２１、２２及び２３を、前記スライドレバー２０の軸長方向において、夫々異なるピッチで配設して、前記上面吸込ルーバ１６、１７及び１８が夫々異なるタイミングで回動するようにする一方、前記第一段差部２１ａ，２２ａ及び２３ａと前記第二段差部２１ｂ、２２ｂ及び２３ｂとを別体に設けるとともに、前記第一段差部２１ａ，２２ａ及び２３ａが前記スライドレバー２０に螺着できるようにして、同スライドレバー２０に対し着脱自在として構成している。
【００１９】
【発明の効果】
以上説明したように、本発明によると、上面吸込口に設けられた上面吸込ルーバが、半開の状態で開きその状態を維持する際、開き角度が常に同一となるようにするとともに、夫々の上面吸込ルーバの開き角度もほぼ同一となるようにし、また特定の上面吸込ルーバの開閉タイミングが他の上面吸込ルーバと異なるように構成して、上面吸込口から吸込まれる空気量を微妙に調整できる一方、インテリアデザイン性が向上した空気調和機となる。
【図面の簡単な説明】
【図１】本発明による空気調和機を示す断面図である。
【図２】本発明による空気調和機に設けられた前面吸込ルーバと上面吸込ルーバとが開いた状態を示す断面図である。
【図３】（Ａ）は本発明による空気調和機の第一の実施例を示す上面吸込口に設けられた上面吸込ルーバと、スライドレバーとを示す要部断面図である。
（Ｂ）はスライドレバーの上面に設けられた係合片を示す要部断面図である。
【図４】本発明による空気調和機の上面吸込口に設けられた上面吸込ルーバが半開で開いている状態を示す要部断面図である。
【図５】（Ａ）は本発明による空気調和機の第二の実施例を示す要部断面図である。
（Ｂ）は本発明による空気調和機の第三の実施例を示す要部断面図である。
【図６】従来例による空気調和機の上面吸込口の構成を示す要部断面図である。
【符号の説明】
１  空気調和機
２  ベース
３  前面パネル
４  前面吸込口
５  上面吸込口
６  前面上部吸込口
７  熱交換器
７ａ  垂直部
７ｂ  後方傾斜部
７ｃ  下方傾斜部
８  送風ファン
９  吹出口
９ａ  風向変更板
１０  前面露受皿
１１  後面露受皿
１２  空気清浄器
１３  前面吸込ルーバ
１４  前面吸込ルーバ
１５  前面吸込ルーバ
１６  上面吸込ルーバ
１６ａ  軸
１６ｂ  アーム
１７  上面吸込ルーバ
１７ａ  軸
１７ｂ  アーム
１８  上面吸込ルーバ
１８ａ  軸
１８ｂ  アーム
２０  スライドレバー
２０ａ  スライドレバー
２１  段差状係合片
２１ａ  第一段差部
２１ｂ  第二段差部
２２  段差状係合片
２２ａ  第一段差部
２２ｂ  第二段差部
２３  段差状係合片
２３ａ  第一段差部
２３ｂ  第二段差部
２４  係合片
２５  係合片
２６  段差状係合片
２６ａ  第一段差部
２６ｂ  第二段差部
【図１】
0004432226.tif 000002
【図２】
0004432226.tif 000003
【図３】
0004432226.tif 000004
【図４】
0004432226.tif 000005
【図５】
0004432226.tif 000006
【図６】
0004432226.tif 000007